(57)【要約】  【課題】  ＮＲＤガイドを用いた、小型化に対応可能なミリ波ミキサーを提供すること。  【解決手段】  ミリ波信号の波長の２分の１以下の間隔で配置した平行平板導体間に配置された２つの誘電体線路１，２の各々の中途を電磁結合するように近接させ、誘電体線路１，２の一端にミリ波検波部を備えており、一方の誘電体線路１のミリ波検波部から中途までの長さと、他方の誘電体線路２のミリ波検波部から中途までの長さとの差をｎλ（ｎは自然数であり、λは誘電体線路１，２を伝搬しているときのミリ波信号の波長である。）としているミリ波ミキサーである。ミリ波ミキシング特性をほとんど変えることなく、より一層の小型化を図ることができる。【選択図】  図１
2005101910.tif 000002
【特許請求の範囲】
【請求項１】
ミリ波信号の波長の２分の１以下の間隔で配置した平行平板導体間に配置された２つの誘電体線路の各々の中途を電磁結合するように近接させるかまたは接合させ、前記２つの誘電体線路を伝搬してきた各々のミリ波信号を混合して中間周波信号を発生するミリ波ミキサーであって、前記２つの誘電体線路の各々は、その誘電体線路の途中に挿入されるかまたは一端に設置された、基板上に幅の広い線路と幅の狭い線路とを交互に形成して成るチョーク型バイアス供給線路の途中に前記ミリ波信号に対して検波作用のあるミリ波検波用素子を接続用導体を介して接続したミリ波検波部を備えており、前記２つの誘電体線路の一方の前記ミリ波検波部から前記中途までの長さと、他方の前記ミリ波検波部から前記中途までの長さとの差をｎλ（ｎは自然数であり、λは前記誘電体線路を伝搬しているときの前記ミリ波信号の波長である。）としていることを特徴とするミリ波ミキサー。
【請求項２】
前記基板の少なくとも一方は、前記平行平板導体側から見て前記誘電体線路の前記中途側に湾曲していることを特徴とする請求項１記載のミリ波ミキサー。
【請求項３】
前記誘電体線路の少なくとも一方は、前記中途の部分が直線状であることを特徴とする請求項１または請求項２記載のミリ波ミキサー。
【発明の詳細な説明】
【技術分野】
【０００１】
本発明は、非放射性誘電体線路を用いたミリ波集積回路，ミリ波レーダーモジュール等に組み込まれるミリ波ミキサーに関するものである。
【背景技術】
【０００２】
従来から、非放射性誘電体線路（NonRadiative Dielectric Waveguide、以下、ＮＲＤガイドともいう。）を用いたミリ波ミキサーに関する技術が提案されている。その主なものとして、例えば非特許文献１に開示された技術が知られている。
【０００３】
非特許文献１に開示されているミリ波ミキサーについて、図２乃至図４を用いて説明する。図２はＮＲＤガイドの基本的構成を示す部分破断斜視図、図３はＮＲＤガイドを用いた従来のミリ波ミキサーの一例を示す図であり、（ａ）は平面図、（ｂ）はミリ波ミキサーの構成要素であるミリ波検波部を示す（ａ）のＢ部の斜視図、図４はミリ波ミキサーを構成する配線基板の基本的構成を示す平面図である。なお、図３において平行平板導体は省略されている。
【０００４】
ミリ波ミキサーを構成するＮＲＤガイドの基本的構成は、図２に示すように、所定の間隔ａをもって平行に配置された平行平板導体11，12間に、断面が矩形状の誘電体線路13を、間隔ａをミリ波信号の波長λに対してａ≦λ／２として配置したものである。これにより、外部から誘電体線路13へのノイズの侵入をなくし、かつ外部への高周波信号の放射をなくして、誘電体線路13中によりミリ波信号をほとんど損失なく伝搬させることができる。なお、波長λは使用周波数における空気中（自由空間）でのミリ波信号の波長である。
【０００５】
図３に示す従来のミリ波ミキサーの一例において、20はミリ波信号（電磁波）を伝搬させる四フッ化エチレン，ポリスチレン等から成る誘電体線路で、この誘電体線路20の一端面には、所定の空隙をあけて、四フッ化エチレン，ポリスチレン等から成る他の誘電体線路21が配置され、さらに誘電体線路20，21とは誘電率の異なるアルミナセラミックス等から成る誘電体シート22が配置されている。そして、誘電体シート22の後方には、図４に示すように、Ｃｕ箔等から成るチョーク型バイアス供給線路23が印刷法等によって形成され、チョーク型バイアス供給線路23の途中の途切れた部分にミリ波検波用素子であるショットキーバリアダイオード（Schottky Barrier Diodeで、以下、ＳＢＤともいう。）24が実装されたミリ波検波部を成す配線基板25が配置される。また、配線基板25の後方には、四フッ化エチレン，ポリスチレン等から成るさらに他の誘電体線路26が配置されて、１つのミリ波検波部が構成される。同様にもう１つのミリ波検波部が、誘電体線路30，31、誘電体シート32、ＳＢＤ34、配線基板35および誘電体線路36で構成され、配線基板35にはチョーク型バイアス供給線路25と同様のパターンが形成されている。そして、ミリ波検波部を備えた２つの誘電体線路20と誘電体線路30とのそれぞれの中途が電磁結合するように近接配置されてこの部分で３ｄＢ結合するように方向性結合部27を構成して、ミリ波ミキサーが構成されている。
【０００６】
このミリ波ミキサーによれば、配線基板25および配線基板35のそれぞれに接続されたＳＢＤ24およびＳＢＤ34にバイアス電圧が印加され、誘電体線路20に入射したミリ波信号20ａと誘電体線路30に入射したミリ波信号30ａとが、方向性結合部27でミリ波信号20ｂと20ｃとに、またはミリ波信号30ｂと30ｃとに３ｄＢ結合され、信号20ｂと信号30ｃとがＳＢＤ24で検波され、信号20ｃと信号30ｂとがＳＢＤ34で検波されるとともに、それらの検波出力が誘電体線路20および誘電体線路30の中途の電磁結合した部分、この例では方向性結合部27で混合（ミキシング）されて、出力端子からミキサー出力として取り出される。
【０００７】
このようなＮＲＤガイド型のミリ波ミキサーにおいては、方向性結合部27で誘電体線路20，30の中途の一部分のみが近接するように誘電体線路20，30に曲げ（ベンド）を設けるとともに、その誘電体線路20，30間の最近接部の間隔、ベンドの曲率、およびミリ波検波部から最近接部までの長さを適切に設計することが重要である。例えば、非特許文献１では、高さが4.0ｍｍで幅が3.5ｍｍの、比誘電率が2.04である四フッ化エチレン製の誘電体線路を用い、ベンドの曲率半径が30ｍｍで誘電体線路間の最近接部の間隔が2.6ｍｍである方向性結合器およびそれを用いたミリ波ミキサーの例が開示されている。
【０００８】
また、非特許文献２には、方向性結合部においていずれかの誘電体線路のベンドをなくし、これによって３ｄＢ結合部でのミリ波信号の損失を低減するという例が開示されている。
【０００９】
なお、これら従来のミリ波ミキサーの例はいずれもバランス（平衡）型といわれるものであり、この他にも、特許文献１または特許文献２にバランス型ミキサーの例が開示されている。
【非特許文献１】米山務，「非放射性誘電体線路を用いたミリ波集積回路」，電子通信学会論文誌Ｃ−Ｉ，社団法人電子情報通信学会，1990年３月，Vol.Ｊ73−Ｃ−Ｉ，No.３，p.87−94
【非特許文献２】黒木太司（Futoshi Kuroki）他，「ＮＲＤガイド・デジタル・トランシーバーズ・フォー・ミリメーター・ウエーブ・ＬＡＮシステム（NRD Guide Digital Transceivers for Millimeter Wave LAN System）」，アイイーアイシーイー・トランザクションズ・オン・コミュニケーションズ（IEICE TRANS. COMMUN.），VOL.E79-B，No.12，1996年12月，p.1759−1764
【特許文献１】特開平10−75125号公報
【特許文献２】特開2003−101313号公報
【発明の開示】
【発明が解決しようとする課題】
【００１０】
しかしながら、ＮＲＤガイド用のミリ波ミキサーでは、ミリ波検波部におけるミリ波信号の位相を同じとする必要があり、そのために以上のような従来のミリ波ミキサーでは誘電体線路20および誘電体線路30の最近接部からそれぞれの配線基板25，35までの線路長を同じとしていたため、その場合に配線基板25と配線基板35とが互いに緩衝することを避けるためには、構成部材の配置においてそのためのスペースを必要とすることからミリ波ミキサー全体の寸法の小型化が難しいという問題点があった。
【００１１】
また、その場合に、誘電体線路20，30の一方または両方に設けたベンドの曲率を小さくすることによって小型化を図ろうとしたときには、ベンド部でのミリ波信号の伝送損失が増大してしまうこととなるという問題点があった。
【００１２】
また、誘電体線路20，30の一方にベンドを設け、他方は直線状にするときには、誘電体線路20，30の両方にベンドを設けるときに比べて、誘電体線路20と誘電体線路30の最近接部からそれぞれの配線基板25，35までの線路長が長くなり、構成部材の配置のためのスペースがより必要となるので、小型化がより難しいという問題点があった。
【００１３】
これに対し、ミリ波ミキサーに対しては、これを用いた装置、例えば車載用ミリ波レーダモジュールに対しても、装置の取り付けスペースが制限される中で良好な送受信を行なうことができるように小型化の要求が強まっていることから、より一層の小型化を図ることが望まれている。
【００１４】
本発明は以上のような従来の技術における事情に鑑みて完成されたものであり、その目的は、ＮＲＤガイドを用いた、より一層の小型化を図ることが可能なミリ波ミキサーを提供することにある。
【課題を解決するための手段】
【００１５】
本発明のミリ波ミキサーは、ミリ波信号の波長の２分の１以下の間隔で配置した平行平板導体間に配置された２つの誘電体線路の各々の中途を電磁結合するように近接させるかまたは接合させ、前記２つの誘電体線路を伝搬してきた各々のミリ波信号を混合して中間周波信号を発生するミリ波ミキサーであって、前記２つの誘電体線路の各々は、その誘電体線路の途中に挿入されるかまたは一端に設置された、基板上に幅の広い線路と幅の狭い線路とを交互に形成して成るチョーク型バイアス供給線路の途中に前記ミリ波信号に対して検波作用のあるミリ波検波用素子を接続用導体を介して接続したミリ波検波部を備えており、前記２つの誘電体線路の一方の前記ミリ波検波部から前記中途までの長さと、他方の前記ミリ波検波部から前記中途までの長さとの差をｎλ（ｎは自然数であり、λは前記誘電体線路を伝搬しているときの前記ミリ波信号の波長である。）としていることを特徴とするものである。
【００１６】
また、本発明のミリ波ミキサーにおいて、好ましくは、前記基板の少なくとも一方は、前記平行平板導体側から見て前記誘電体線路の前記中途側に湾曲していることを特徴とする。
【００１７】
また、本発明のミリ波ミキサーにおいて、好ましくは、前記誘電体線路の少なくとも一方は、前記中途の部分が直線状であることを特徴とする。
【発明の効果】
【００１８】
本発明のミリ波ミキサーによれば、ミリ波信号の波長の２分の１以下の間隔で配置した平行平板導体間に配置された２つの誘電体線路の各々の中途を電磁結合するように近接させるかまたは接合させ、前記２つの誘電体線路を伝搬してきた各々のミリ波信号を混合して中間周波信号を発生するミリ波ミキサーであって、２つの誘電体線路の各々は、その誘電体線路の途中に挿入されるかまたは一端に設置された、基板上に幅の広い線路と幅の狭い線路とを交互に形成して成るチョーク型バイアス供給線路の途中にミリ波信号に対して検波作用のあるミリ波検波用素子を接続用導体を介して接続したミリ波検波部を備えており、２つの誘電体線路の一方のミリ波検波部から電磁結合している中途までの長さと、他方のミリ波検波部から電磁結合している中途までの長さとの差をｎλ（ｎは自然数であり、λは誘電体線路を伝搬しているときのミリ波信号の波長である。）としていることから、電磁結合している中途で２つの誘電体線路に分岐されたミリ波信号が、それぞれ一方のミリ波検波部と他方のミリ波検波部とに同位相で伝搬するので、ミリ波ミキシング特性をほとんど変えることなく、ミリ波信号の伝搬方向についても隣り合うミリ波検波部の基板同士の相対距離を変えることができ、構成部材の配置の自由度が高くなる。これにより、２つの誘電体線路のミリ波検波部の基板同士が緩衝しないように隣り合う２つの基板の一方を他方から離して無駄なスペースが空かないように配置に必要な面積を減らすことができ、より一層の小型化を図ることができ、このミリ波ミキサーを用いた装置の小型化にも有利なものとなる。
【００１９】
また、本発明のミリ波ミキサーによれば、ミリ波検波部の基板の少なくとも一方が平行平板導体側から見て誘電体線路の電磁結合している中途側に湾曲しているときには、２つの誘電体線路のミリ波検波部の基板同士が緩衝しないように隣り合う２つの基板の一方を他方よりも大きく湾曲させてその端部を他方の誘電体線路および基板から退避させることができ、これによって無駄なスペースが空かないように構成部材の配置に必要な面積をさらに減らすことができ、さらにより一層の小型化を図ることができ、このミリ波ミキサーを用いた装置の小型化により一層有利なものとなる。
【００２０】
さらに、本発明のミリ波ミキサーによれば、誘電体線路の少なくとも一方が、電磁結合している中途の部分が直線状であるときには、誘電体線路の一方のみにベンドを設けたものであっても、２つの誘電体線路のミリ波検波部の基板同士が緩衝しないように隣り合う２つの基板の一方を他方よりも遠くに退避させて無駄なスペースが空かないように構成部材の配置に必要な面積を減らすことができ、より一層の小型化を図ることができ、このミリ波ミキサーを用いた装置の小型化と方向性結合部の低損失化とを同時に行なうことができるものとなる。
【発明を実施するための最良の形態】
【００２１】
本発明のミリ波ミキサーにつき、その実施の形態の一例であるＮＲＤガイドを用いたミリ波ミキサーについて、以下に詳細に説明する。
【００２２】
図１は本発明のミリ波ミキサーの実施の形態の第１〜第３の例を模式的に示したものであり、（ａ）は第１の例の平面図、（ｂ）は第２の例の平面図、（ｃ）は第３の例の平面図である。また、図５は従来のミリ波ミキサーの例を模式的に示したものであり、（ａ）は図１（ａ）と比較するための例の平面図、（ｂ）は図１（ｃ）と比較するための例の平面図である。なお、これらの例の構成要素において、ＮＲＤガイドの構成は図４に示したものと同様であり、ミリ波検波部の基板の構成は図３に示したものと同様である。また、図１および図５において平行平板導体は省略されている。
【００２３】
本発明のミリ波ミキサーの実施の形態の第１〜第３の例はいずれも、ミリ波信号の波長の２分の１以下の間隔で配置した平行平板導体間に配置された誘電体線路１，１’，１”および誘電体線路２，２’，２”の各々の中途を電磁結合するように近接させるかまたは接合させ、誘電体線路１，１’，１”または誘電体線路２，２’，２”を伝搬してきた各々のミリ波信号をミキシングして中間周波信号を発生させるようにし、誘電体線路１，１’，１”および誘電体線路２，２’，２”は誘電体線路１，１’，１”および誘電体線路２，２’，２”のそれぞれの一端に設置された基板３，３’，３”上に幅の広い線路23ｂと幅の狭い線路23ａとを交互に形成して成るチョーク型バイアス供給線路５の途中の途切れた部位にミリ波信号に対して検波作用のあるミリ波検波用素子であるＳＢＤ24を接続用導体を介して接続したミリ波検波部を備えている。そして、本発明のミリ波ミキサーにおいては、誘電体線路１，１’，１”の電磁結合しているところ（Ｐ１１，Ｐ１１’，Ｐ１１”）から誘電体線路１，１’，１”の一端に設けられているミリ波検波用素子であるＳＢＤ24（Ｐ１２，Ｐ１２’，Ｐ１２”）までの長さと、その誘電体線路１，１’，１”と電磁結合している誘電体線路２，２’，２”のその電磁結合しているところ（Ｐ２１，Ｐ２１’，Ｐ２１”）から誘電体線路２，２’，２”の一端に設けられているＳＢＤ24（Ｐ２２，Ｐ２２’，Ｐ２２”）までの長さとの差をｎλ（ｎは自然数、すなわち１以上の整数であり、λは誘電体線路を伝搬しているときのミリ波信号の波長である。）としているものである。
【００２４】
そして、図１（ａ）に示す第１の例においては、２つの誘電体線路１，２の両方にベンドを設けてそのベンド部で電磁結合させた通常の構成において２つの誘電体線路１，２のミリ波検波部の基板３，４から中途の電磁結合しているところＰ１１，Ｐ２２までの長さを、誘電体線路２について同図中に破線で示した従来のミリ波ミキサーにおいてそれら長さを同じとしていたものから短くして、誘電体線路１に対してｎλの差を設けた例を示している。
【００２５】
また、図１（ｂ）に示す第２の例においては、図１（ａ）に示す例と同様に誘電体線路２’について長さを短くした場合について、誘電体線路２’のミリ波検波部の基板４’を平行平板導体側から見て誘電体線路２’の中途の電磁結合しているところＰ２１’側に湾曲させた例を示している。
【００２６】
さらに、図１（ｃ）に示す第３の例においては、誘電体線路１”についてミリ波検波部の基板３”から中途の電磁結合しているところＰ１１”までの長さを短くして、誘電体線路２”のミリ波検波部の基板４”から中途の電磁結合しているところＰ２１”までの長さとの差をｎλとするとともに、誘電体線路２”の電磁結合している中途の部分を直線状とした例を示している。
【００２７】
上記各構成において、誘電体線路１，１’，１”，２，２’，２”は、四フッ化エチレン，ポリスチレン，コーディエライト（２ＭｇＯ・２Ａｌ２Ｏ３・５ＳｉＯ２）セラミックス，ガラスセラミックス等から成る。ミリ波検波部の基板３，３’，３”，４，４’，４”は図４に示す基本的構成と同じであり、四フッ化エチレン，ポリスチレン，ガラスセラミックス，ガラスエポキシ樹脂，エポキシ樹脂等から成り、その一主面に、アルミニウム（Ａｌ），金（Ａｕ），銅（Ｃｕ）等のストリップ導体から成るチョーク型バイアス供給線路23が形成されて成る。
【００２８】
ＳＢＤ24（Ｐ１２，Ｐ１２’，Ｐ１２”，Ｐ２２，Ｐ２２’，Ｐ２２”）は、それぞれ基板３，３’，３”，４，４’，４”上のチョーク型バイアス供給線路23の一端に導体バンプが接続される電極パッド等の接続用導体を介して接続され、ミリ波信号のＬＳＭモードの電磁波の電界方向とほぼ同じ方向にバイアス電流が流れるように配置される。
【００２９】
そして、これら本発明のミリ波ミキサーにおいては、誘電体線路１，１’，１”，２，２’，２”に入射したミリ波信号が誘電体線路１，１’，１”，２，２’，２”の一端に設けられているそれぞれのＳＢＤ24（Ｐ１２，Ｐ１２’，Ｐ１２”，Ｐ２２，Ｐ２２’，Ｐ２２”）で検波されるとともに、それら検波出力が混合（ミキシング）されて、出力端子から中間周波信号であるミキサー出力ＰＭＩＸとして取り出される。
【００３０】
図１（ａ）〜（ｃ）に示す本発明のミリ波ミキサーの第１〜第３の例においては、誘電体線路１，１’，１”のミリ波検波部のＳＢＤ24（Ｐ１２，Ｐ１２’，Ｐ１２”）から中途の電磁結合しているところＰ１１，Ｐ１１’，Ｐ１１”までの長さと、誘電体線路２，２’，２”のミリ波検波部のＳＢＤ24（Ｐ２２，Ｐ２２’，Ｐ２２”）から中途の電磁結合しているところＰ２１，Ｐ２１’，Ｐ２１”までの長さとの差をｎλ（ｎは自然数であり、λは誘電体線路１，１’，１”，２，２’，２”を伝搬しているときのミリ波信号の波長である。）としていることから、誘電体線路１，１’，１”の中途の電磁結合しているところＰ１１，Ｐ１１’，Ｐ１１”で分岐されたミリ波信号が、それぞれ誘電体線路１，１’，１”のミリ波検波部のＳＢＤ24（Ｐ１２，Ｐ１２’，Ｐ１２”）と誘電体線路２，２’，２”のミリ波検波部のＳＢＤ24（Ｐ２２，Ｐ２２’，Ｐ２２”）とに同位相で伝搬するとともに、誘電体線路２，２’，２”の中途の電磁結合しているところＰ２１，Ｐ２１’，Ｐ２１”で分岐されたミリ波信号が、それぞれ誘電体線路１，１’，１”のミリ波検波部のＳＢＤ24（Ｐ１２，Ｐ１２’，Ｐ１２”）と誘電体線路２，２’，２”のミリ波検波部のＳＢＤ24（Ｐ２２，Ｐ２２’，Ｐ２２”）とに同位相で伝搬するので、ミリ波ミキシング特性をほとんど変えることなく、ミリ波信号の伝搬方向についても隣り合うミリ波検波部の基板３と４，３’と４’，３”と４”同士の相対距離を変えることができ、構成部材の配置の自由度が高くなる。これにより、２つの誘電体線路１，１’，１”，２，２’，２”のミリ波検波部の基板３と４，３’と４’，３”と４”同士が緩衝しないように隣り合う２つの基板３と４，３’と４’，３”と４”の一方を他方から離して無駄なスペースが空かないように配置に必要な面積を減らすことができ、より一層の小型化を図ることができ、このミリ波ミキサーを用いた装置の小型化にも有利なものとなる。
【００３１】
以下に、その理由を詳細に説明する。
【００３２】
ここで、ミキサー出力ＰＭＩＸ、誘電体線路１，１’，１”および誘電体線路２，２’，２”に入力させるミリ波信号をそれぞれＰＬＯおよびＰＲＦ、また、ＰＬＯとＰＲＦとの位相差をδとすれば、
ＰＭＩＸ＝（ＰＲＦ・ＰＬＯ・ｓｉｎδ・Ｇｃ）１／２
ただし、Ｇｃはミキサーのコンバージョンゲインを表している。
【００３３】
で表される。
【００３４】
すなわち、δ＝ｎλ（ｎは自然数）のときに、同じミキサー出力特性を得ることができることとなる。
【００３５】
実際には、誘電体線路１，１’，１”，２，２’，２” を伝搬するミリ波信号の伝搬損失により特性が変化するが、ｎはそれほど大きな値を必要としないので、実際の使用上は問題ない。
【００３６】
次に、実施例において、本発明のミリ波ミキサーが従来のものに比べて小型化できることを説明する。
【実施例】
【００３７】
図１に示すミリ波ミキサーをそれぞれ以下のようにして構成した。平行平板導体として厚さ６ｍｍの２枚のＡｌ板を1.8ｍｍの間隔ａで配置し、それらの間に、断面形状が1.8ｍｍ（高さ）×0.8ｍｍ（幅）の矩形状であり、比誘電率が4.8のコージェライトセラミックスから成る誘電体線路１，１’，１”，２，２’，２”を配置した。
【００３８】
そして、誘電体線路１，１’，１”，２，２’，２”の端面に、幅10ｍｍ，高さ1.8ｍｍ，厚さ0.5ｍｍの低誘電率の熱可塑性樹脂から成る有機樹脂基板（比誘電率εr＝3.0）から成る基板３，３’，３”，４，４’，４”を用いたミリ波検波部を配置した。また、誘電体線路１，１’，１”の中途と誘電体線路２，２’，２”の中途とを電磁結合するように最近接間隔を1.0ｍｍとして近接配置した。
【００３９】
ここで、図１（ａ）に示す第１の例の実施例１では、誘電体線路１および誘電体線路２の両方の曲率半径を30ｍｍとし、誘電体線路２のミリ波検波部のＳＢＤ24（Ｐ２２）から中途の電磁結合しているところＰ２１までの長さが誘電体線路１のミリ波検波部のＳＢＤ24（Ｐ１２）から中途の電磁結合しているところＰ１１までの長さよりも１波長（ｎ＝１）である5.6ｍｍだけ短くして、２つの基板３，４同士が緩衝しない条件で、Ｐ１２からＰ１１までの長さが最も短くなるように誘電体線路１，２と基板３，４とを配置した。
【００４０】
これに対し、比較例として、図５（ａ）に示す従来のミリ波ミキサーの配置において、誘電体線路51を図１（ａ）の誘電体線路１と同じ条件にし、誘電体線路52のミリ波検波部のＳＢＤ24（Ｐ５２２）から中途の電磁結合しているところＰ５２１までの長さを誘電体線路51のミリ波検波部のＳＢＤ24（Ｐ５１２）から中途の電磁結合しているところＰ５１１までの長さよりも短くせず、同じにしたものを作製し、実施例１と比較した。
【００４１】
その結果、実施例１では、従来のミリ波ミキサーに比べて、平行平板導体に平行で誘電体線路１，２にほぼ直交する方向に9.9％配置面積を縮小することができた。
【００４２】
次に、図１（ｂ）に示す第２の例の実施例２では、実施例１と同じ寸法の基板４’を曲率10ｍｍで平行平板導体から見て誘電体線路２’の中途（電磁結合しているところＰ２１’）側に湾曲させたものを用い、他の構成部材を配置した。この実施例２では、平行平板導体に平行で誘電体線路１’，２’にほぼ平行な方向に9.4％、実施例１に比べて配置面積をさらに縮小することができた。
【００４３】
次に、図１（ｃ）に示す第３の例の実施例３では、誘電体線路２’の中途の電磁結合しているところＰ２１”の部分にベンドを設けていない直線状のものを用いて、その他は実施例１と同様にして構成部材を配置した。
【００４４】
これに対し、比較例として、図５（ｂ）に示す従来のミリ波ミキサーの配置において、誘電体線路52”を図１（ｃ）の誘電体線路２”と同じ条件にし、誘電体線路51”のミリ波検波部のＳＢＤ24（Ｐ５１２”）から中途の電磁結合しているところＰ５１１”までの長さを誘電体線路52”のミリ波検波部のＳＢＤ24（Ｐ５２２”）から中途の電磁結合しているところＰ５２１”までの長さよりも短くせず、同じにしたものを作製し、実施例３と比較した。
【００４５】
その結果、実施例３では、従来のミリ波ミキサーに比べて、平行平板導体に平行で誘電体線路１”，２”にほぼ直交する方向に20.6％、誘電体線路１”，２”にほぼ平行な方向に5.3％、従来のミリ波ミキサーに比べて構成部材の配置面積を縮小することができた。
【００４６】
また、これら実施例１〜３においては、電磁結合している中途におけるミリ波信号の損失は従来のミリ波ミキサーと同等に低く抑えられていた。
【００４７】
かくして、本発明のミリ波ミキサーによれば、ＮＲＤガイドを用いた小型化と方向性結合部の低損失化とを同時に行なうことができるミリ波ミキサーを提供することができるものであることが確認できた。
【００４８】
なお、本発明は以上の実施の形態の例および実施例に限定されるものではなく、本発明の要旨を逸脱しない範囲内で種々の変更を行なうことは何等差し支えない。
【００４９】
例えば、基板３，３’，３”，４，４’，４”は弾性材料から成るものとしてもよい。その場合には、基板３，３’，３”，４，４’，４”を誘電体線路１，１’，１”または誘電体線路２，２’，２”の一端に適度な押圧がかかるように固定することができ、ミリ波ミキシング特性を安定なものにすることができるものとなる。
【００５０】
また、そのとき、基板３，３’，３”，４，４’，４”にその側面が接する平行平板導体の主面への差し込み用のピンを設けて、基板３，３’，３”，４，４’，４”を実装する構成にしてもよい。この場合には、平行平板導体の主面の対応する位置に形成された穴にピンを差し込むだけの簡単な方法で、基板３，３’，３”，４，４’，４”を平行平板導体に容易かつ確実に固定することができ、基板３，３’，３”，４，４’，４”の実装性が向上するものとなる。
【図面の簡単な説明】
【００５１】
【図１】本発明のミリ波ミキサーの実施の形態の第１〜第３の例を模式的に示したものであり、（ａ）は第１の例の平面図、（ｂ）は第２の例の平面図、（ｃ）は第３の例の平面図である。
【図２】ＮＲＤガイドの基本的構成を示す部分破断斜視図である。
【図３】ＮＲＤガイドを用いた従来のミリ波ミキサーの一例を示す図であり、（ａ）は平面図、（ｂ）はミリ波ミキサーの構成要素であるミリ波検波部を示す（ａ）のＢ部の斜視図である。
【図４】ミリ波ミキサーを構成する配線基板の基本的構成を示す平面図である。
【図５】従来のミリ波ミキサーの例を模式的に示したものであり、（ａ）は図１（ａ）と比較するための例の平面図、（ｂ）は図１（ｃ）と比較するための例の平面図である。
【符号の説明】
【００５２】
１，１’，１”，２，２’，２”：誘電体線路
３，３’，３”，４，４’，４”：基板
23：チョーク型バイアス供給線路
23ａ：幅の狭い線路
23ｂ：幅の広い線路
24（Ｐ１２，Ｐ１２’，Ｐ１２”，Ｐ２２，Ｐ２２’，Ｐ２２”）：ショットキーバリアダイオード（ＳＢＤ）
Ｐ１１，Ｐ１１’，Ｐ１１”，Ｐ２１，Ｐ２１’，Ｐ２１”：中途の電磁結合しているところ
【図１】
2005101910.tif 000003
【図２】
2005101910.tif 000004
【図３】
2005101910.tif 000005
【図４】
2005101910.tif 000006
【図５】
2005101910.tif 000007